【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
複数の画像データを出力領域に配置する画像処理装置であって、
複数の画像データを取得する画像データ取得手段と、
前記画像データ取得手段によって取得された複数の画像データのそれぞれについて、画像データに含まれる主被写体のサイズ情報と前記画像データのサイズ情報との関係から前記画像データを生成した撮像装置との距離を解析する第１の解析手段と、
前記画像データにおける主被写体の位置情報と前記画像データの背景に存在する特定オブジェクトの位置情報との関係から前記主被写体と前記画像データを生成した撮像装置との上下または左右の位置関係を解析する第２の解析手段と、
前記第１の解析手段および前記第２の解析手段の解析結果に基づいて、前記出力領域における前記複数の画像データそれぞれの画像サイズ、前記複数の画像データのそれぞれを重ね合わせて出力する際の重ね合わせの順序、配置方向を決定するレイアウト決定手段と、
前記レイアウト決定手段によって決定されたレイアウトに基づいて、前記複数の画像データのそれぞれを前記出力領域に配置する配置手段と、
を有することを特徴とする画像処理装置。
【請求項２】
前記レイアウト決定手段は、前記主被写体と前記撮像装置との距離が近い画像データほど画像のサイズが大きくなるように、または、前記主被写体と前記撮像装置との距離が遠い画像データほど画像のサイズが小さくなるように前記出力領域における前記複数の画像データのそれぞれに対応する画像のサイズを決定することを特徴とする請求項１に記載の画像処理装置。
【請求項３】
前記レイアウト決定手段は、前記複数の画像データそれぞれの第１の解析手段の解析結果の比率に基づいて、前記出力領域における前記複数の画像データのそれぞれに対応する画像のサイズの比率を決定することを特徴とする請求項１に記載の画像処理装置。
【請求項４】
前記レイアウト決定手段は、前記主被写体と前記撮像装置との距離が近い画像データほど上に重ね合わされるように、前記出力領域において前記複数の画像データのそれぞれに対応する画像を重ね合わせる際の重ね合わせ順序を決定することを特徴とする請求項１に記載の画像処理装置。
【請求項５】
前記レイアウト決定手段は、前記複数の画像データそれぞれの第１の解析手段の解析結果の比率に基づいて、前記出力領域において前記複数の画像データのそれぞれに対応する画像を重ね合わせる際の画像の重ね合わせ領域を決定することを特徴とする請求項１乃至４のうちいずれか１項に記載の画像処理装置。
【請求項６】
前記レイアウト決定手段は、さらに前記複数の画像データのそれぞれに含まれる主被写体が重ならないように、前記出力領域において前記複数の画像データのそれぞれに対応する画像を重ね合わせる際の画像の重ね合わせ領域を決定することを特徴とする請求項１乃至５のうちいずれか１項に記載の画像処理装置。
【請求項７】
前記第１の解析手段は、前記画像データそれぞれに含まれる主被写体のサイズが大きいか、または、前記撮像装置による画像データ生成時に前記画像データ内に付与された撮像情報のうち、焦点検出情報、主被写体までの距離情報、主被写体までの距離範囲情報、主被写体の位置情報、ストロボの発光エネルギー情報、レンズ焦点距離情報の少なくとも１つの値が小さいほど、前記主被写体と前記撮像装置との距離が近く、前記画像データそれぞれに含まれる主被写体のサイズが小さいか、または前記撮像情報のうち、焦点検出情報、主被写体までの距離情報、主被写体までの距離範囲情報、主被写体の位置情報、ストロボの発光エネルギー情報、レンズ焦点距離情報の少なくとも１つの値が大きいほど前記主被写体と前記撮像装置との距離が遠い画像データであると決定することを特徴とする請求項１に記載の画像処理装置。
【請求項８】
前記第１の解析手段および前記第２の解析手段の解析結果により、前記複数の画像データに前記主被写体と前記撮像装置との距離、または前記主被写体と前記撮像装置との上下または左右の位置が同じ画像データが含まれる場合には、前記複数の画像データのそれぞれの撮像時刻情報を取得する撮像時刻情報取得手段を更に有し、
前記レイアウト決定手段は、前記第１及び第２の解析手段の解析結果および、前記撮像時刻情報取得手段によって取得された撮像時刻情報に基づいて、前記出力領域における前記複数の画像データのレイアウトを決定することを特徴とする請求項１に記載の画像処理装置。
【請求項９】
前記レイアウト決定手段は、前記撮像時刻情報が現在に近い画像データほど上に重ね合わされるように、前記出力領域において前記複数の画像データのそれぞれに対応する画像を重ね合わせる際の重ね合わせ順序を決定する請求項８に記載の画像処理装置。
【請求項１０】
前記レイアウト決定手段は、前記画像データ取得手段によって取得された複数の画像データに画像処理を施して、前記出力領域における前記複数の画像データのレイアウトを決定することを特徴とする請求項１に記載の画像処理装置。
【請求項１１】
前記画像処理は、トリミング処理、彩度変更処理及び鮮鋭度変更処理の少なくとも１つを含むことを特徴とする請求項１０に記載の画像処理装置。
【請求項１２】
前記レイアウト決定手段は、前記主被写体と前記撮像装置との距離が近い画像データほど、大きな領域に対してトリミング処理を施す、彩度を増加させる、鮮鋭度を増加させることを特徴とする請求項１１に記載の画像処理装置。
【請求項１３】
複数の画像データを出力領域に配置する画像処理装置の制御方法であって、
取得手段が、複数の画像データを取得する画像データ取得ステップと、
第１の解析手段が、前記画像データ取得ステップで取得された複数の画像データのそれぞれについて、画像データに含まれる主被写体のサイズ情報と前記画像データのサイズ情報との関係から前記画像データを生成した撮像装置との距離を解析する第１の解析ステップと、
第２の解析手段が、前記画像データにおける主被写体の位置情報と前記画像データの背景に存在する特定オブジェクトの位置情報との関係から前記主被写体と前記画像データを生成した撮像装置との上下または左右の位置関係を解析する第２の解析ステップと、
レイアウト決定手段が、前記第１の解析ステップおよび前記第２の解析ステップの解析結果に基づいて、前記出力領域における前記複数の画像データそれぞれの画像サイズ、前記複数の画像データのそれぞれを重ね合わせて出力する際の重ね合わせの順序、配置方向を決定するレイアウト決定ステップと、
配置手段が、前記レイアウト決定ステップで決定されたレイアウトに基づいて、前記複数の画像データのそれぞれを前記出力領域に配置する配置ステップと、
を有することを特徴とする画像処理装置の制御方法。
【請求項１４】
複数の画像データを出力領域に配置する画像処理装置の制御方法をコンピュータに実行させるためのプログラムであって、
前記コンピュータに、
複数の画像データを取得する画像データ取得ステップと、
前記画像データ取得ステップで取得された複数の画像データのそれぞれについて、画像データに含まれる主被写体のサイズ情報と前記画像データのサイズ情報との関係から前記画像データを生成した撮像装置との距離を解析する第１の解析ステップと、
前記画像データにおける主被写体の位置情報と前記画像データの背景に存在する特定オブジェクトの位置情報との関係から前記主被写体と前記画像データを生成した撮像装置との上下または左右の位置関係を解析する第２の解析ステップと、
前記第１の解析ステップおよび前記第２の解析ステップの解析結果に基づいて、前記出力領域における前記複数の画像データそれぞれの画像サイズ、前記複数の画像データのそれぞれを重ね合わせて出力する際の重ね合わせの順序、配置方向を決定するレイアウト決定ステップと、
前記レイアウト決定ステップで決定されたレイアウトに基づいて、前記複数の画像データのそれぞれを前記出力領域に配置する配置ステップと、
を実行させることを特徴とするプログラム。
【請求項１５】
請求項１４に記載のプログラムを記録したコンピュータで読み取り可能な記録媒体。
【手続補正２】
【補正対象書類名】明細書
【補正対象項目名】００１３
【補正方法】変更
【補正の内容】
【００１３】
上記目的を達成するために、本発明の一側面としての画像処理装置は、複数の画像データを出力領域に配置する画像処理装置であって、複数の画像データを取得する画像データ取得手段と、前記画像データ取得手段によって取得された複数の画像データのそれぞれについて、画像データに含まれる主被写体のサイズ情報と前記画像データのサイズ情報との関係から前記画像データを生成した撮像装置との距離を解析する第１の解析手段と、前記画像データにおける主被写体の位置情報と前記画像データの背景に存在する特定オブジェクトの位置情報との関係から前記主被写体と前記画像データを生成した撮像装置との上下または左右の位置関係を解析する第２の解析手段と、前記第１の解析手段および前記第２の解析手段の解析結果に基づいて、前記出力領域における前記複数の画像データそれぞれの画像サイズ、前記複数の画像データのそれぞれを重ね合わせて出力する際の重ね合わせの順序、配置方向を決定するレイアウト決定手段と、前記レイアウト決定手段によって決定されたレイアウトに基づいて、前記複数の画像データのそれぞれを前記出力領域に配置する配置手段と、を有することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】